(57)【特許請求の範囲】
【請求項１】
不織布を含む基材をコア上に巻き付けて、前記基材のスプールを生成する方法であって、前記基材が、複数の三次元特徴部を備え、前記コアが長手方向軸を画定し且つ第１の端部と第２の端部とを有し、前記方法が、
前記基材の複数のラップを前記コアの周りに渦巻き状に巻き付けて、第１のレーンを少なくとも部分的に形成することであって、前記第１のレーンの前記ラップのうちの少なくともいくつかにおける前記三次元特徴部が、前記第１のレーンの隣接するラップにおける前記三次元特徴部に少なくとも部分的に入れ子にされることと、
前記基材の最小で１／５周のラップ〜最大で２周のラップを、前記コアの周りに螺旋状に巻き付けて、第２のレーンに移行することと、
前記基材の複数のラップを前記コアの周りに渦巻き状に巻き付けて、前記第２のレーンを少なくとも部分的に形成することであって、前記第２のレーンの前記ラップのうちの少なくともいくつかにおける前記三次元特徴部が、前記第２のレーンの隣接するラップにおける前記三次元特徴部に少なくとも部分的に入れ子にされることと、
前記基材の最小で１／５周のラップ〜最大で２周のラップを、前記コアの周りに螺旋状に巻き付けて、第３のレーンに移行することと、
前記基材の複数のラップを前記コアの周りに渦巻き状に巻き付けて、前記第３のレーンを少なくとも部分的に形成することであって、前記第３のレーンの前記ラップのうちの少なくともいくつかにおける前記三次元特徴部が、前記第３のレーンの隣接するラップにおける前記三次元特徴部に少なくとも部分的に入れ子にされることと、
前記渦巻き状及び螺旋状の巻き付け工程中に、１０％未満の機械方向歪みを前記基材に加えることと、を含む、方法。
【請求項２】
前記基材の最小で１／５周のラップ〜最大で２周のラップを前記コアの周りに螺旋状に巻き付けて、第４のレーンに移行することと、
前記基材の複数のラップを前記コアの周りに渦巻き状に巻き付けて、前記第４のレーンを少なくとも部分的に形成することであって、前記第４のレーンの前記ラップのうちの少なくともいくつかにおける前記三次元特徴部が、前記第４のレーンの隣接するラップにおける前記三次元特徴部に少なくとも部分的に入れ子にされることと、を含む、請求項１に記載の方法。
【請求項３】
前記基材の最小で１／５周のラップ〜最大で２周のラップを前記コアの周りに螺旋状に巻き付けて、第５のレーンに移行することと、
前記基材の複数のラップを前記コアの周りに渦巻き状に巻き付けて、前記第５のレーンを少なくとも部分的に形成することであって、前記第５のレーンの前記ラップのうちの少なくともいくつかにおける前記三次元特徴部が、前記第５のレーンの隣接するラップにおける前記三次元特徴部に少なくとも部分的に入れ子にされることと、を含む、請求項２に記載の方法。
【請求項４】
前記第２のレーンを渦巻き状に巻き付ける前に、前記第１のレーンを完全に渦巻き状に巻き付けることを含む、請求項１〜３のいずれか一項に記載の方法。
【請求項５】
前記第３のレーンを渦巻き状に巻き付ける前に、前記第２のレーンを完全に渦巻き状に巻き付けることを含む、請求項４に記載の方法。
【請求項６】
前記スプールを、
前記第１の端部から前記第２の端部に延在する第１の方向に前記スプールを完全に巻き付けること、又は
前記第２の端部から前記第１の端部に延在する第２の方向に前記スプールを完全に巻き付けること、を含む、請求項５に記載の方法。
【請求項７】
前記第１のレーンが、前記第２のレーンに隣接して位置付けられ、前記第２のレーンが、前記第３のレーンに隣接して位置付けられる、請求項１〜６のいずれか一項に記載の方法。
【請求項８】
前記第２のレーンに移行する前に、前記第１のレーンを部分的にだけ渦巻き状に巻き付けることを含む、請求項１〜３及び７のいずれか一項に記載の方法。
【請求項９】
前記第３のレーンに移行する前に、前記第２のレーンを部分的にだけ渦巻き状に巻き付けることを含む、請求項８に記載の方法。
【請求項１０】
前記第１のレーン、前記第２のレーン、及び前記第３のレーンが、前記第１の端部と前記第２の端部との間に延在する第１の方向に延在する、請求項９に記載の方法。
【請求項１１】
前記基材の最小で１／５周のラップ〜最大で２周のラップを前記コアの周りに螺旋状に巻き付けて、前記第２の端部の近位に位置付けられた末端レーンに移行することを含む、請求項１〜３及び７〜１０のいずれか一項に記載の方法。
【請求項１２】
前記基材の複数のラップを前記コアの周りに渦巻き状に巻き付けて、前記末端レーンを形成することを含み、前記末端レーンの前記ラップのうちの少なくともいくつかにおける前記三次元特徴部が、前記末端レーンの隣接するラップにおける前記三次元特徴部に少なくとも部分的に入れ子にされる、請求項１１に記載の方法。
【請求項１３】
前記第３のレーンよりも前記末端レーンにおいてより多い数のラップを渦巻き状に巻き付けることを含む、請求項１２に記載の方法。
【請求項１４】
前記基材の最小で１／５周のラップ〜最大で２周のラップを、前記第２の端部から前記第１の端部に向かって延在する方向に、前記コアの周りに螺旋状に巻き付けることを含む、請求項１３に記載の方法。
【請求項１５】
前記複数の三次元特徴部が、前記基材の第１の側上に、前記基材の第２の側上に複数の凹部を形成する複数の突起部を備え、前記複数の三次元特徴部が、前記基材の第１の側上に複数の第２の凹部と、前記基材の前記第２の側上に複数の第２の突起部と、を備え、前記基材が、開口部を備え、前記渦巻き状及び螺旋状に巻き付ける工程中に、前記基材に５％未満の機械方向歪みを加えることを含む、請求項１〜１４のいずれか一項に記載の方法。
【発明の詳細な説明】
【技術分野】
【０００１】
本開示は、複数の三次元特徴部を有する基材をスプール上に巻き付ける方法に関する。
【背景技術】
【０００２】
使い捨ておむつ、トレーニングパンツ、成人の失禁用下着、及び／又は生理用ナプキンなどの個人衛生用の吸収性物品は、排泄物、特に大量の尿、柔便、及び／又は経血を吸収かつ封じ込めるように設計されている。これらの吸収性物品は、通常、例えば、トップシート、バックシート、１つ又は２つ以上の受入／分配層、及びトップシートとバックシートとの間に配設された吸収性コアなど、異なる機能を提供するいくつかの層を備え得る。
【０００３】
不織布基材又は不織布基材を含む積層体などの基材は、トップシート、外側カバー、受入／分配層、及び／又は吸収性物品の他の部分として提供されている。基材は、例えば、複数の突起部及び複数の凹部などの複数の三次元特徴部を備え得る。
【０００４】
三次元特徴部を備える基材はまた、清掃用拭取り布、ダスティング拭き取り用布、濾過媒体の領域、及び／又は任意の他の好適な領域などの、他の領域においても有用な場合がある。
【０００５】
複数の三次元特徴部を備える典型的な基材は、コアに上に巻き付けられ、スプールの形態で保管される。次いで、スプールは、吸収性物品の構成要素、拭き取り用品、清掃用品、及び／又は濾過媒体などの任意の好適な製品の作製で使用するために巻きを解かれ、転化され得る。一般に、複数の三次元特徴部を備える基材は、コアの周囲及びスプール内に基材の複数の螺旋状に巻かれたラップを形成するために、コアの第１の端部からコアの第２の端部へ、次いで第２の端部から第１の端部へ（時には何度も）螺旋状に巻かれる。ラップの螺旋状の巻き付け及び内側ラップの一部に及ぼされる圧力のために、基材の三次元特徴部は、巻き付け中及び保管中に適切に保存されない場合がある。基材のラップを螺旋状に巻くことは、基材の隣接するラップ内の三次元特徴部の非入れ子状態又は限定された入れ子状態をもたらす。この非入れ子状態又は限定された入れ子状態は、スプールから巻きが解かれるとき、少なくとも部分的に潰されるか又は圧縮された、その基材内の三次元特徴部をもたらし得る。少なくとも部分的に潰れたか又は圧縮された三次元特徴部は、性能及び／又は美的理由のために消費者に好まれない可能性がある。より美的に好まれ及び／又はより良好な性能の、過度に圧縮されていないか又は潰されていない三次元特徴部を有する基材を提供するために、（種々の隣接するラップの間に）基材の三次元特徴部の少なくとも大多数の少なくとも部分的な入れ子状態を提供する三次元特徴部を備える基材を巻き付ける方法が必要とされる。
【発明の概要】
【課題を解決するための手段】
【０００６】
本開示は、三次元特徴部を備える基材を巻き付ける方法を提供する。方法は、基材の巻き付け中及びスプール上にある間に、基材がそれらの構造を維持することを可能にするために、隣接するラップ内の基材の三次元特徴部の入れ子状態、又は少なくとも部分的な入れ子状態をそれ自体で増大させる方法である。入れ子状態の増大は、スプールの大多数（例えば、５０％超）をレーンに渦巻き状に巻き付け、ごく少量の螺旋状に巻かれた部分に渦巻き状に巻かれたレーとの仲介をさせることによって達成される。機械方向の張力が、巻き付け中に三次元特徴部を備える基材に加えられてもよい。この機械方向の張力は、基材の三次元特徴部の入れ子状態、又は少なくとも部分的な入れ子状態の助けとなることが判明している。実際に、三次元特徴部を備える基材に加えられる比較的低い機械方向の張力は、いかなる不可逆的な変形もなく、又は不可逆的変形をほとんど生じることなく、三次元特徴部を引き伸ばすことに役立つことがある。機械方向に僅かに引き伸ばされることで、基材の隣接する上重ね層の三次元特徴部は、一致し、また少なくとも部分的に、又は完全に互いに入れ子にするように、僅かに移動して再配置する傾向を有することが判明している。少なくとも部分的に、又は完全に入れ子にされた三次元特徴部を有することは、基材がスプール上でより安定な状態（即ち、より低いエネルギー状態）に到達することに役立ち、また巻き付け中及びスプール上にある間に三次元特徴部がそれらの構造を維持することに役立つことができる。
【０００７】
ニップロールはまた、三次元特徴部を備える基材の１つの層を、三次元特徴部を備える基材の別の隣接層と入れ子状態に、又は少なくとも部分的に入れ子状態にすることの助けとなるように使用されてもよい。ニップロールは、基材の種々の層の三次元特徴部を、少なくとも部分的に、又は完全に互いに入れ子にするために、概ねスプールのコアに向かう方向で基材に力を加えることができる。
【０００８】
ある形態では、不織布を含む基材をコアに巻き付けて、基材のスプールを生成することを含む例示的な方法が提供される。基材は複数の三次元特徴部を備える。コアは長手方向軸を画定し、また第１の端部と第２の端部とを有する。方法は、複数の基材のラップをコアの周りに渦巻き状に巻き付けて、第１のレーンを少なくとも部分的に形成することを含む。第１のレーンのラップのうちの少なくともいくつかにおける三次元特徴部の大多数は、第１のレーンの隣接するラップにおける三次元特徴部の大多数に少なくとも部分的に入れ子にされている。方法は、不織布基材の最少で１／５周のラップ〜最大２周のラップをコアの周りに螺旋状に巻き付けて、第２のレーンに移行することと、不織布基材の複数のラップをコアの周りに渦巻き状に巻き付けて、第２のレーンを少なくとも部分的に形成することとを含む。第２のレーンのラップのうちの少なくともいくつかにおける三次元特徴部の大多数は、第２のレーンの隣接するラップにおける三次元特徴部の大多数に少なくとも部分的に入れ子にされる。方法は、基材の最少で１／５周のラップ〜最大２周のラップをコアの周りに螺旋状に巻き付けて、第３のレーンに移行することと、基材の複数のラップをコアの周りに渦巻き状に巻き付けて、第３のレーンを少なくとも部分的に形成することとを含む。第３のレーンのラップのうちの少なくともいくつかにおける三次元特徴部の大多数は、第３のレーンの隣接するラップにおける三次元特徴部の大多数と少なくとも部分的に入れ子状態になっている。方法は、渦巻き状及び螺旋状の巻き付け工程の間に、約１０％未満、約８％未満、約５％未満、約３％未満、約２％未満、約１．５％未満のＭＤ歪みを基材上に加えることを含む。
【図面の簡単な説明】
【０００９】
本開示の非限定的な実施形態の以下の説明文を添付図面と併せて参照することで、本開示の上記の特徴及び他の特徴並びに利点、並びにそれらを実現する方法がより明らかとなり、また本開示自体のより深い理解が得られるであろう。
【図１】吸収性物品のトップシートとして使用される三次元特徴部を備える基材の一部の上面図である。
【図２】本開示による三次元特徴部を備える基材の一部の正面図である。
【図３】本開示による図２の基材の一部の正面斜視図である。
【図４】本開示による三次元特徴部を備える基材の一部の別の正面図である。
【図５】本開示による、図４の基材の一部の正面斜視図である。
【図６】本開示による、本開示による図２の基材の一部の背面斜視図である。
【図７】本開示による、図２の基材の一部の背面斜視図である。
【図８】本開示による、図４の基材の一部の背面図である。
【図９】本開示による、図４の基材の一部の背面斜視図である。
【図１０】本開示による三次元特徴部を備える基材の断面図である。
【図１１】本開示による複数の三次元特徴部を備える例示的な基材の一部の上面図である。
【図１２】本開示による、図１１の例示的な基材の一部の上面斜視図である。
【図１３】本開示による、少なくとも部分的に入れ子にされた三次元基材の２つの隣接するラップの概略断面図である。
【図１４】本開示の方法により巻き取られたスプールの斜視図である。
【図１５】本開示の方法による、図１４の線１５−１５の周りで取られたスプールの概略断面図である。
【図１６】本開示の方法により巻き取られたスプールの斜視図である。
【図１７】本開示の方法により、図１６の線１７−１７の周りで取られたスプールの概略断面図である。
【図１８】本開示の方法により螺旋状に巻かれた部分によって接続された基材の２つの渦巻き状に巻かれたレーンの正面図である。
【発明を実施するための形態】
【００１０】
本開示の種々の非限定的な形態を、本明細書に開示される三次元特徴部を有する基材の構造、機能、製造、及び使用方法の原理の全体的な理解を提供するために、ここで説明する。これらの非限定的な形態の１つ又は２つ以上の実施例を添付の図面に示す。当業者であれば、本明細書に開示され、添付図面に例示する三次元特徴部を有する基材を巻き付ける方法が非限定的な例示の形態であり、本開示の種々の非限定的な形態の範囲は特許請求の範囲によってのみ定義されることを理解するであろう。１つの非限定的な形態に関して図示又は説明される特徴は、他の非限定的な形態の特徴と組み合わせることができる。そのような変更及び変形は、本開示の範囲に含まれるものとする。
【００１１】
定義
本明細書で使用する場合、用語「吸収性物品」は、身体排泄物を吸収し収容する装置を指し、より具体的には、着用者の身体に当てて又は着用者の身体に近接して配置されて、身体から排泄された様々な排泄物を吸収し収容する装置を指す。吸収性物品としては、おむつ、成人失禁用ブリーフ、トレーニングパンツ、生理用ナプキン、及びパンティーライナーなどが挙げられるが、これらに限定されない。吸収性物品としてはまた、家庭用清掃用基材、スクラブ用基材、ダスティング用基材、湿潤及び乾燥拭取り布、及び／又は赤ちゃん用拭取り布等の拭取り布が挙げられる。
【００１２】
本明細書で使用する場合、用語「機械方向」は、処理過程を通る基材の流れと概ね平行な方向を意味する。
【００１３】
本明細書で使用する場合、用語「機械横方向」は、機械方向に概ね垂直な方向を意味する。
【００１４】
本明細書で使用する場合、用語「不織布」又は「不織布基材」とは、摩擦及び／又は粘着及び／又は接着により結合させた、一方向に又はランダムに配向された繊維から作られたシート、ウェブ、又は打延べ綿シートを意味し、紙、及び更なるニードル加工の有無を問わず、結束糸若しくはフィラメントを組み込んだ織り製品、編み製品、タフト加工品、ステッチ結合製品、又は湿式粉砕によるフェルト製品は含まない。繊維は、天然繊維であっても人工繊維であってもよく、ステープル若しくは連続フィラメントであっても、又はその場形成でもよい。市販の繊維は、約０．００１ｍｍ未満〜約０．２ｍｍ超の範囲の直径を有することがあり、短繊維（ステープル又は裁断として知られる）、連続単繊維（フィラメント又はモノフィラメント）、連続フィラメントの無撚束（粗麻）、及び連続フィラメントの撚り束（紡績糸）など、いくつかの異なる形態で提供されることがある。不織布基材は、メルトブロー法、スパンボンド法、溶媒紡糸法、電界紡糸法、カーディング法、及びエアレイイング法などの多くのプロセスによって形成され得る。
【００１５】
「三次元特徴部」という用語は、（典型的な概ね平面的な不織布基材を超える）異なる高さを有する基材の領域を意図する。基材内の突起部及び凹部は、三次元特徴部のまさに一例である。機械方向、機械横方向、又は他の方向に走る畝部及び谷部も、三次元特徴部と想定される。三次元特徴部は、例えば、エンボス加工などの任意の適切なプロセスによって形成されてもよい。
【００１６】
三次元特徴部を備える基材
本開示の方法は、複数の三次元特徴部を備える基材を巻き付けることで有用である。三次元特徴部を備え、吸収性物品のトップシートとして使用される例示的な基材１が図１に示されている。本開示の基材は、不織布を含んでもよく、不織布と、フィルム及びセルロース系材料などの他の材料との積層体を含んでもよく、不織布を含まなくてもよく、又は任意の適切な材料を含んでもよい。三次元特徴部は、複数の突起部及び／若しくは複数の凹部を含んでもよく、又は任意の他の適切な三次元特徴部を備えていてもよい。場合によっては、三次元特徴部は、基材の第１の側から延在し、基材の第２の側に複数の中空凹部を形成する複数の突起部を含んでもよい。三次元特徴部はまた、基材の第２の側に複数の第２の突起部を形成する、基材の第１の側に形成された複数の第２の凹部を含んでもよい。
【００１７】
本方法で有用な基材は、最終製品であろうと中間製品であろうと、吸収性物品、清掃用拭取り布、ダスティング用拭取り布、他の適切な拭取り布、ペーパータオル、衛生ティッシュ、マット、濾過媒体、又は任意の他の適切な製品の構成要素として、又はその全てを形成するのに有用であり得る。
【００１８】
図２〜１０を全体的に参照すると、複数の三次元特徴部を備える例示的な基材１０は、第１の層及び第２の層、３つ以上の層、又は１つの層を含むことができる。基材１０は、基材１０の第１の側１８上に複数のランド領域１２、複数の凹部１４、及び複数の突起部１６を含むことができる。複数のランド領域１２、複数の凹部１４、及び複数の突起部１６は、一緒に基材１０の第１の側１８上に三次元特徴部を形成することができる。複数のランド領域１２、複数の凹部１４、及び複数の突起部１６はまた、基材１０の第２の側２０に三次元特徴部を形成してもよい。突起部１６は、基材１０の第１の表面１８上に概ねドーム形状であってもよく、また基材１０の第２の側２０にアーチ形状の中空凹部を形成してもよい。凹部１４は、基材１０の第２の側に第２の突起部を形成してもよい。凹部１４の全て若しくは大多数（即ち、５０％超、又は７５％超）、又はその実質的に全てが、隣接する突出部１６の頂部ピーク２５から最も遠位に位置する開口部２２を画定することができる。開口部２２の大多数、又はその全ての外周部２３は、基材１０の最下部又は平面を形成することができ、一方、突起部１６の大多数、又はその全ての頂部ピーク２５（即ち、最上部）は、基材１０の一番上の部分又は平面を形成することができる。他の例では、基材は凹部１４内に開口部を有せずともよく、突起部１６の頂部ピーク２５から最遠位の凹部１４の一部は、基材１０の最下部又は平面を形成してもよい。開口部２２は、２つ又はそれ以上の層が設けられている場合には、基材１０の第１及び第２の層（又は層の全て）を通って延在してもよい。
【００１９】
ランド領域１２は、（１）隣接する突起部１６、（２）隣接する凹部１４及び／又は隣接する開口部２２の中間に位置付けられてもよい。ランド領域１２はまた、凹部１４及び／又は開口部２２の大多数若しくは全ての少なくとも一部、又は全てと、突起部１６の少なくとも大多数、若しくは全てを包囲してもよい。ランド領域１２は、開口部２２の少なくとも大多数の外周部の平面と、突起部１６の頂部ピーク２５の少なくとも大多数の平面との間に位置付けられてもよい。ランド領域１２は、場合によっては、概ね非三次元であってもよい。
【００２０】
突起部１６は、凹部１４及び／又は開口部２２と、基材１０の横方向軸２４と概ね平行な方向に交互に配置されてもよい。突起部１６はまた、凹部１４及び／又は開口部２２と、基材１０の長手方向軸２６と概ね平行な方向に交互に配置されてもよい。このような構成では、横方向軸２４と概ね平行な方向に、又は長手方向軸２６と概ね平行な方向に、突起部１６及び凹部１４並びに／又は開口部２２は交互になっている（即ち、突起部、凹部及び／又は開口部、突起部、凹部及び／又は開口部）。この特徴は、隣接する凹部１４及び／又は開口部２２の大部分、若しくはその全ての中間に柔らかな突出ピーク２５があるという点で、基材１０に対してより良好な柔軟性を提供する。吸収性物品という面において、この特徴はまた、突起部１６が皮膚と流体との間にスペーサーを本質的に生成するために、着用者の皮膚をランド領域１２及び／又は凹部１４内の流体から離れる方向に維持することにも役立つ。
【００２１】
２つ又はそれ以上の突起部１６は、横方向軸２４に概ね平行な方向に、又は長手方向軸２６に概ね平行な方向に、凹部１４及び／又は開口部２２並びに１つ若しくは２つ以上のランド領域１２によって互いに分離され得る。２つ若しくはそれ以上の突起部１４及び／又は開口部２２は、横方向軸２４に概ね平行な方向に、又は長手方向軸２６に概ね平行な方向に、突起部１６及び１つ若しくは２つ以上のランド領域１２によって互いに分離され得る。ランド領域１２は、開口部２２及び突起部１６を完全に囲んでもよい。ランド領域１２は、場合によっては、基材１０を通って概ね連続的な格子を形成することができ、一方、突起部１６及び凹部１４並びに／又は開口部２２は、基材１０全体を通して別個の要素であってもよい。
【００２２】
場合によっては、２つ又はそれ以上の、例えば４つの突起部１６が、凹部１４及び／又は開口部２２（これは、突起部１６と凹部１４及び／又は開口部２２との中間のランド領域１２を含まない）の少なくとも大多数、実質的にその全て、又はその全ての周囲に位置付けられてもよい。２つ若しくはそれ以上の、例えば４つの凹部１４及び／又は開口部２２が、突起部１６の少なくとも大多数、実質的にその全て、又はその全ての（これは、凹部１４及び／又は開口部２２並びに突起部１６の中間にあるランド領域１２を含まない）周囲に位置付けられてもよい。突起部１６、凹部１４、開口部２２、及びランド領域１２は全て、基材の第１及び第２の層の一部から形成されてもよい。２つを超える層が基材に設けられる場合、突起部１６、凹部１４、開口部２２、及びランド領域１２は全て、基材の第１、第２、及び第３の層の一部から形成されてもよい。特定の基材に３つを超える層が設けられている場合も同様であり得る。
【００２３】
開口部２２及び／又は凹部１４は、基材１０に第１の線を共に形成する開口部及び／又は凹部１４の第１セットと、基材１０に第２の線を共に形成する開口部２２及び／又は凹部１４の第２セットとを含んでもよい。第１の線は、概ね第２の線と平行であるか、又はこれに対して概ね垂直であってもよい。第１の線はまた、第２の線と鋭角又は鈍角を形成してもよい。突起部１６は、基材１０に第１の線を共に形成する突起部１６の第１セットと、基材１０に第２の線を共に形成する突起部１６の第２セットとを含んでもよい。第１の線は、概ね第２の線と平行であるか、又はこれに対して概ね垂直であってもよい。第１の線はまた、第２の線と鋭角又は鈍角を形成してもよい。
【００２４】
基材１０は、横方向軸２４の周りで概ね対称であってもよく、及び／又は長手方向軸２６の周りで概ね対称であってもよい。他の例では、基材は、横方向軸２４及び／又は長手方向軸２６の周りで対称でなくともよい。
【００２５】
ある形態では、基材１０は、横方向軸２４に平行な方向に延在する交互の開口部２２と突起部１６とを含む第１線と、横方向軸２４に概ね平行な方向に延在する交互の開口部２２と突起部１６とを含む第２の隣接する線とを含んでもよい。これらの線は、開口部２２及び突起部１６の中心を通るであろう。例えば、図２の線Ａ及びＢを参照されたい。直線Ｃが長手方向軸２６に概ね平行な方向に引かれ、これが線Ａ及びＢと交差する場合、開口部２２は、線Ａ及びＣの交点に位置するであろうし、突起部１６は線Ｂ及びＣの交点に位置するであろう。図４に示すように、線Ａ及びＢが長手方向軸線２６に平行な方向に引かれ、線Ｃが横軸２４に概ね平行な方向に引かれている場合も同様である。線が異なる位置で引かれる場合、線Ａ及びＣの交点が突起１６を有してもよく、また線Ｂ及びＣの交点が開口部２２を有してもよい。主な点は、開口部の列及び突起部の列が互い違いになっていることである。この様式で開口部及び突起部を互い違いにすることにより、柔らかい突起部又は突起部頂部が２つの開口部の中間にあるために、基材１０の着用者に面する表面においてより良好な柔軟性が得られる。
【００２６】
三次元特徴部を備える例示的な基材１０のラップは、スプールのコアに巻かれる際に、少なくとも部分的に他の隣接するラップの入れ子になり得る。ラップにおける三次元特徴部のうちの少なくともいくつかのこの入れ子状態又は部分的な入れ子状態は、三次元特徴部のうちの少なくともいくつかの圧縮を防止するか、又は少なくとも阻止する。例えば、基材１０の複数のラップがスプールのコアに巻かれる場合、次の隣接するラップは、部分的に巻かれたスプール上の最も外側の既存のラップの入れ子に少なくとも部分的になることができる。このような例では、基材１０の第１の表面１８は、基材１０の次の隣接するラップが、スプール上の既存の基材１０に巻かれるときに、部分的に巻かれたスプール上に外向きになっていてもよく、突起部１６は、次の隣接するラップにおける突起部のアンダーサインによって形成された次の隣接するラップの中空アーチ又は第２の凹部によって少なくとも部分的に覆われてもよい。次の隣接するラップにおける第２の表面２０から延在する突起部（凹部１４によって形成された）は、スプール上の既存のラップにおける凹部１４と少なくとも部分的に係合してもよい。そのような例では、次の隣接するラップは、スプール上の最も外側にある既存のラップに少なくとも部分的に「入れ子にされる」。
【００２７】
基材１０の第２の表面２０がスプールの外側に面する場合、次の隣接するラップの三次元特徴部は、更にスプール上のラップの三次元特徴部の入れ子に少なくとも部分的になることができる。例えば、スプール上のラップの最も外側の部分の突起部１６の中空部分によって形成された凹部は、次の隣接するラップ内の突起部１６と係合されてもよい。スプール上の最も外側のラップの凹部１４によって形成される基材１０の第２の側２０から延在する突起部は、次の隣接するラップにおける凹部１４により少なくとも部分的に重なり合っていてもよい。そのような例では、次の隣接するラップは、スプール上の既存のラップに少なくとも部分的に「入れ子にされる」。
【００２８】
図１１及び１２を参照すると、複数の三次元特徴部を備える別の例示的な基材１０’が示されている。基材１０’は、複数の突起部１６’（即ち、三次元特徴部）、第１の表面１８’上の複数のランド領域１２’、突起部１６’によって形成される複数の凹部１４’（即ち、三次元特徴部）、及び第２表面２０’上の複数のランド領域１２’を含むことができる。基材１０’のある特定のラップが、第１の表面１８’が外向きに向いている状態でプールのコアの周りに巻かれる場合、次の隣接するラップの凹部１４’は、突起１６’のうちの少なくともいくつかに少なくとも部分的に重なってもよい。そのような例では、次の隣接するラップは、スプール上の最も外側のラップに少なくとも部分的に「入れ子にされる」。この入れ子状態、又は部分的な入れ子状態の例は、で図１３に示され、２つのラップ（Ｗ１及びＷ２）の一部が「入れ子にされている」か、又は少なくとも部分的に「入れ子にされている」。基材１０’のある特定のラップが、第２の表面２０’が外向きに向いている状態でコアの周りに巻き付けられる場合、次の隣接するラップの突起部１６’は、凹部１４’と少なくとも部分的に係合してもよい。そのような例では、次の隣接するラップは、スプールのコア上の既存のラップに少なくとも部分的に「入れ子にされる」。
【００２９】
三次元的特徴部を有する基材を巻く方法
図１４及び１５は、本開示の例示的な方法のうちの１つによって巻かれている例示の部分的に巻かれたスプール１００を示す。スプール１００の最後のレーン（又はこの例では第５のレーン２１５）は、図１４及び１５ではまだ巻かれていない。スプール１００は、第１の端部１２１と第２の端部１２２とを有するコア１０２を含む。コア１０２は、例えば、約８センチメートル（３インチ）〜約３６センチメートル（１４インチ）、約１０センチメートル（４インチ）〜約３０センチメートル（１２インチ）、又は約２０センチメートル（８インチ）などの任意の好適な直径を有してもよく、任意の好適な材料（複数可）によって作製されてもよい。コア１０２は、長手方向軸Ｌｃを有し、任意の好適な装置又は当業者に既知の装置による基材の巻取り中に、その長手方向軸Ｌｃの周りで回転される。複数の三次元特徴部１１２を有する基材１１０は、回転するコア２の周囲に巻き込まれる。上述した基材などの複数の三次元特徴部を有する任意の好適な基材もまた、本開示の巻き付けの方法で使用することができる。主として、注目した基材は、渦巻き状の巻き付け中に互いに少なくとも部分的に入れ子になり得る三次元特徴部を有する基材である。この基材は、１つ又は２つ以上の不織布基材であってもよく、１つ又は２つ以上の不織布基材を含んでもよく、若しくは１つ又は２つ以上不織布基材と、例えばフィルム又はセルロース系材料などの１つ又は２つ以上の他の基材とを含む積層体であってもよい。各基材は、層又は重層の任意の好適な数を含んでもよい。完成したスプールでは、コア１０２は、いずれかの端部１２１、１２２上で巻かれた基材１００から長手方向軸Ｌｃの方向に外側に延在してもよく、又は基材１１０は、コア１０２の端部１２１、１２２に巻き付けられてもよい。スプール１００は、レーンの任意の好適な数、例えば２〜１５などを含んでもよい。完成したスプールにおける特定のレーン上の基材１１０の渦巻き状に巻かれたラップの数は、巻かれる基材、所望のスプールサイズ、及び／又はスプールが作製される製造プロセスに応じて変化してもよい。ラップは、螺旋状に巻かれたラップ又は渦巻き状に巻かれたラップが論議されているかどうかに関わらず、コア１０２の周りの基材１１０の全円周の１回転である。
【００３０】
複数の三次元特徴部を備える基材をコアに巻き付け、基材のスプールを生成する方法が提供される。方法は、少なくとも一部には、スプールの種々のレーン間の移行領域の量を低減して、より良好に入れ子にされ、また複数の三次元特徴部の圧縮がほとんどない基材を有するスプールを提供することを目的とする。移行領域は、螺旋状に巻かれた部分と等しくする。
【００３１】
図１４及び１５を再び参照すると、スプール１００は、第１の端部１２１から第２の端部１２２まで完全に巻かれても、又は第２の端部１２２から第１の端部１２１まで完全に巻かれてもよい。コア１０２上で一方向にだけ巻き付けること、また次の隣接するレーンに移動する前にレーンを完全に渦巻き状に巻き付けることによって、レーン間の移行領域は低減し、したがって、螺旋状に巻かれた部分が低減する。螺旋状に巻かれた部分が低減することによって、基材の複数の三次元特徴部のより少ない圧縮及びより多くの入れ子状態を得ることができる。方法は、複数の三次元特徴部１１２を含む基材１１０の複数のラップ１１４をコア１０２の周りに渦巻き状に巻き付けて、第１の渦巻き状に巻かれたレーン２１１を形成することを含むことができる。第１の渦巻き状に巻かれたレーン２１１のラップ１１４のうちの少なくともいくつか、又はその大部分における三次元特徴部１１２の大多数、又は大部分は、第１の渦巻き状に巻かれたレーン２１１の隣接するラップ１１４における三次元特徴部１１２の大多数、又は大部分に少なくとも部分的に入れ子にされても、又は完全に入れ子にされてもよい。方法は、基材１１０の最少で１／５周のラップ１１４’〜最大で６周のラップ１１４’、最少で１／５周のラップ１１４’〜最大で５周のラップ１１４’、最少で１／５周のラップ１１４’〜最大で４周のラップ１１４’、最少で１／５周のラップ１１４’〜最大で３周のラップ１１４’、最少で１／５周のラップ１１４’〜最大で２周のラップ１１４’、又は最少で１／４周のラップ１１４’〜最大で３周のラップ１１４’、又は最少で１／２周のラップ１１４’〜最大で２周のラップ１１４’、若しくは最少で１周のラップ１１４’をコア１０２の周りに螺旋状に巻き付けて、第２のレーン２１２に移行することを含むことができる（図１４では破線で示され、図１５では線１１４’で指示される）。本方法において螺旋状に巻く工程は、上記で特定されたこれらのラップ範囲を参照するであろうが、簡潔にするために、方法においては以下で再度特定されない。方法は、基材１１０の複数のラップ１１４をコア１０２の周りに渦巻き状に巻き付けて、第２の渦巻き状に巻かれたレーン２１２を形成することを含んでもよい。第２のレーン２１２のラップ１１４のうちの少なくともいくつか、又はその大部分における三次元特徴部１１２の大多数、又は大部分は、第２の渦巻き状に巻かれたレーン２１２の隣接するラップ１１４における三次元特徴部１１２の大多数、又は大部分に少なくとも部分的に入れ子にされても、又は完全に入れ子にされてもよい。方法は、基材１１０の最少で１／５周のラップ１１４’〜最大で２周のラップ１１４’をコア１０２の周りに螺旋状に巻き付けて、第３のレーン２１３に移行することを含むことができる。方法は、基材１１０の複数のラップ１１４をコア１０２の周りに渦巻き状に巻き付けて、第３の渦巻き状に巻かれたレーン２１３を形成することを含んでもよい。第３の渦巻き状に巻かれたレーン２１３のラップ１１４のうちの少なくともいくつか、又はその大部分における三次元特徴部１１２の大多数は、第３の渦巻き状に巻かれたレーン２１３の隣接するラップ１１４における三次元特徴部１１２の大多数、又は大部分に少なくとも部分的に入れ子にされても、又は完全に入れ子にされてもよい。方法は、渦巻き状及び螺旋状の巻き付け工程の間に、約１０％未満、約８％未満、約５％未満、約３％未満、約２％未満、約１％未満、又は約１％のＭＤ歪みを加えること、又は基材１１０上で引っ張ることを更に含んでもよい。ＭＤ歪み又は引っ張りは、コアに向かって送り込まれる基材とコアが回転し基材を巻き付ける速度との間の速度差を有することによって加えられ得る。コアの回転の速度は、スプールが直径を増加するにつれて変化し得る（例えば、減速する）。
【００３２】
方法は、基材１１０の最少で１／５周のラップ１１４’〜最大で２周のラップ１１４’をコア１０２の周りに螺旋状に巻き付け、第４のレーン２１４に移行し、基材１１０の複数のラップ１１４をコア１０２の周りに渦巻き状に巻き付けて、渦巻き状に巻かれたレーン２１４を形成することによってなど、３超のレーンを巻き付けることを更に含んでもよい。第４の渦巻き状に巻かれたレーン２１４のラップのうちの少なくともいくつか、又はその大部分における三次元特徴部１１２の大多数、又は大部分は、第４の渦巻き状に巻かれたレーン２１４の隣接するラップ１１４における三次元特徴部の大多数、又は大部分に少なくとも部分的に入れ子にされても、又は完全に入れ子にされてもよい。方法は、基材１１０の最少で１／５周のラップ１１４’〜最大で２周のラップ１１４’をコア１０２の周りに螺旋状に巻き付けて、第５のレーン２１５に移行することを更に含むことができる。第５のレーン２１５の位置は、図１４及び１５に示されているが、第５のレーン２１５は、まだ巻かれていない。方法は、基材１１０の複数のラップ１１４をコア１０２の周りに渦巻き状に巻き付けて、第５の渦巻き状に巻かれたレーン２１５を形成することを含んでもよい（図示せず）。第４の渦巻き状に巻かれたレーン２１５のラップ１１４のうちの少なくともいくつか、又はその大部分における三次元特徴部の大多数、又は大部分は、第４の渦巻き状に巻かれたレーン２１５の隣接するラップにおける三次元特徴部の大多数、又は大部分に少なくとも部分的に入れ子にされても、又は完全に入れ子状態にされてもよい。
【００３３】
上述された方法において、種々のレーンは、第１の端部１２１に近位の位置から第２の端部１２２に近位の位置まで、第１のレーン２１１から第５のレーン２１５（又はそれ以上のレーン）まで、あるいは第２の端部１２２の近位の位置から第１の端部１２１の近位の位置まで、第５のレーン２１５（又はそれ以上のレーン）から第１のレーン２１１までの順序で、完全に巻かれてもよい。この方法では、基材１１０が、第１の端部１２１の近位にある第１のレーン２１１から第２の端部１２２の近位にある第５のレーン２１５（又はそれ以上のレーン）に向かって、あるいは第２の端部１２２の近位にある第５のレーン２１５（又はそれ以上のレーン）から第１の端部１２１の近位にある第１のレーン２１１まで移動されると、スプール１００は完全に巻き取られ得る。スプールを一方向のみで巻き付け、また次の隣接するレーンを巻き付ける前にレーンを完全に渦巻き状に巻き付けることは、種々の渦巻き状に巻かれたレーン間の移行領域を低減させ、これによって、圧縮され及び／又は少なくとも部分的に入れ子にされていない三次元特徴部の量を低減させる。場合によっては、スプールは、第１の端部１２１から第２の端部１２２まで巻かれ、第１の端部１２１に少なくとも部分的に戻るか、又は完全に戻り、完全に巻かれたスプールを生成してもよく、逆もまた同様である。
【００３４】
複数の三次元特徴部を備える基材を螺旋状に巻き付けること（渦巻き状に巻き付けることなく）は、通常、三次元特徴部が入れ子状態にならないか、又は渦巻き状に巻かれた部分の隣接するラップに三次元特徴部が入れ子にならないため、同様に入れ子にならないという、いずれかの点で望ましくない。基材を螺旋状に巻き付けることは、三次元特徴部の圧縮をもたらし得る。したがって、巻かれる基材が複数の三次元特徴部を備えるとき、スプールにおける螺旋状の巻き付けの％を低減することが非常に望ましい。上記で提示された（図１４及び１５を参照して）巻き付け方法は、この有益性を達成し、スプールが完全に巻かれると、約１０％未満、約８％未満、約５％未満、約３％未満、約２％未満、約１％未満、又は約０．５％未満のスプールの螺旋状に巻かれた部分を有する。螺旋状に巻かれた部分の％は、特定のスプールにおいて望ましいレーンの数に応じて変化してもよい。
【００３５】
上述した方法において、第１のレーン２１１は、（螺旋状の巻き付け）に移行し、第２のレーン２１２を渦巻き状に巻き付ける前に完全に渦巻き状に巻かれてもよい。第２のレーン２１２は、（螺旋状の巻き付け）に移行し、第３のレーン２１３を渦巻き状に巻き付ける前に完全に渦巻き状に巻かれてもよい。第３のレーン２１３は、（螺旋状の巻き付け）に移行し、第４のレーン２１４を渦巻き状に巻き付ける前に完全に渦巻き状に巻かれてもよい。第４のレーン２１４は、（螺旋状の巻き付け）に移行し、第５のレーン２１５を渦巻き状に巻き付ける前に完全に渦巻き状に巻かれてもよい等々であるが、多くのレーンが特定のスプールに関して計画される。
【００３６】
図１４及び１５で見ることができるように、第１のレーン２１１は、第２のレーン２１２に隣接して位置付けられ、第２のレーン２１２は、第３のレーン２１３に隣接して位置付けられ、第３のレーン２１３は、第４のレーン２１４に隣接して位置付けられ、第４のレーン２１４は、第５のレーン２１５に隣接して位置付けられる。
【００３７】
図１６及び１７は、本開示の方法によって巻かれている例示の部分的に巻かれたスプール３００を示す。部分的に巻かれたスプール３００は、上述したものと同じであり得るコア１０２を含む。基材１１０もまた、上述したものと同じであり得る。図１６及び１７に例として示された複数の三次元特徴部１１２を含む基材１００を巻き付ける方法において、段階的な巻き付けプロセスが使用されてもよい。本質的に、ラップの第１の回数が、第１のレーン及び最後のレーン上に渦巻き状に巻き付けられてもよく、ラップの第２の回数が、第１及び最後のレーンの中間のレーンに渦巻き状に巻き付けられてもよい。渦巻き状に巻かれるラップの第１の回数は、渦巻き状に巻かれるラップの第２の回数を超えてもよい。例として、渦巻き状に巻かれるラップの第１の回数は１９であってもよく、渦巻き状に巻かれるラップの第２の回数は、８．２であってもよい。別の例として、渦巻き状に巻かれたラップの第１の回数は９．５であってもよく、渦巻き状に巻かれるラップの第２の回数は、４．１であってもよい。更に別の例として、渦巻き状に巻かれるラップの第１の回数は６０であってもよく、渦巻き状に巻かれるラップの第２の回数は、３０であってもよい。渦巻き状に巻かれるラップの第１の回数及び渦巻き状に巻かれるラップの第２の回数の多くの他の好適な回数もまた、巻き取られる基材及び所望のスプール特性に少なくとも応じて、本開示の範囲内である。ラップの第１の回数が、例えば第１のレーン３１１上に巻かれた後に、螺旋状巻き付けを第２のレーン３１２への巻き付けに移行するように開始することができる。同様に、ラップの第２の回数が、例えば第２のレーン３１２上に巻かれた後に、螺旋状巻き付けを第３のレーン３１３への巻き付けに移行するように開始することができ、同じように続く。
【００３８】
基材を巻き付ける方法は、少なくとも一部には、スプール３００の種々のレーン間の移行領域の量を低減して、より良好に入れ子にされ、また三次元特徴部１１２の圧縮がほとんどない基材１１０を有するスプール３００を提供することを目的とする。移行領域は、螺旋状に巻かれた部分と等しくする。
【００３９】
スプール３００は、第１の端部１２１から第２の端部１２２まで、次いで第１の端部１２２に戻るか、又は第１の端部１２２に少なくとも部分的に戻って、完全に巻かれてもよい。これは、完成スプールの所望の直径に応じて、１回又は複数回行われてもよい。種々のレーンにおいて基材の大多数を渦巻き状に巻き付けることによって、関連技術におけるような全てを螺旋状に巻き付けることと比較して、レーン間の移行領域が低減され、したがって、螺旋状に巻かれた部分が大幅に低減される。螺旋状に巻かれた部分を低減することによって、基材の三次元特徴部のより少ない圧縮及びより多くの入れ子状態が達成される。方法は、複数の三次元特徴部１１２を含む基材１１０の複数のラップ２１４をコア１０２の周りに渦巻き状に巻き付けて、第１の渦巻き状に巻かれたレーン３１１を少なくとも部分的に又は部分的に形成することを含むことができる。第１の渦巻き状に巻かれたレーン３１１のラップ２１４のうちの少なくともいくつか、又はその大部分における三次元特徴部１１２の大多数、又は大部分は、第１の渦巻き状に巻かれたレーン３１１の隣接するラップ２１４における三次元特徴部１１２の大多数、又は部分に少なくとも部分的に入れ子にされても、又は完全に入れ子にされてもよい。方法は、基材１１０の最少で１／５周のラップ２１４’〜最大で５周のラップ２１４’、最少で１／５周のラップ２１４’〜最大で４周のラップ２１４’、最少で１／５周のラップ２１４’〜最大で３周のラップ２１４’、最少で１／５周のラップ２１４’〜最大で２周のラップ２１４’、又は最少で１／４周のラップ２１４’〜最大で３周のラップ２１４’、又は最少で１／２周のラップ２１４’〜最大で２周のラップ２１４’、若しくは約１周のラップ２１４’をコア１０２の周りに螺旋状に巻き付けて、第２のレーン３１２に移行することを含むことができる（図１６では破線で示され、図１７では矢印で指示される）。方法において螺旋状に巻く工程は、本明細書でこれらのラップ範囲を参照するであろうが、簡潔にするために、以下で再度特定されない。方法は、基材１１０の複数のラップ２１４をコア１０２の周りに渦巻き状に巻き付けて、第２の渦巻き状に巻かれたレーン３１２を部分的に又は少なくとも部分的に形成することを含んでもよい。第２のレーン３１２のラップ１１４のうちの少なくともいくつか、又はその大部分における三次元特徴部１１２の大多数、又は大部分は、第２の渦巻き状に巻かれたレーン３１２の隣接するラップ２１４における三次元特徴部１１２の大多数、又は大部分に少なくとも部分的に入れ子にされても、又は完全に入れ子にされてもよい。方法は、基材１１０の最少で１／５周のラップ２１４’〜最大で２周のラップ２１４’をコア１０２の周りに螺旋状に巻き付けて、第３のレーン３１３に移行することを含むことができる。方法は、基材１１０の複数のラップ２１４をコア１０２の周りに渦巻き状に巻き付けて、第３の渦巻き状に巻かれたレーン３１３を部分的に又は少なくとも部分的に形成することを含んでもよい。第３の渦巻き状に巻かれたレーン３１３のラップ２１４のうちの少なくともいくつか、又はその大部分における三次元特徴部１１２の大多数は、第３の渦巻き状に巻かれたレーン３１３の隣接するラップ２１４における三次元特徴部１１２の大多数、又は大部分に少なくとも部分的に入れ子にされても、又は完全に入れ子にされてもよい。方法は、渦巻き状及び螺旋状の巻き付け工程の間に、約１０％未満、約８％未満、約５％未満、約３％未満、約２％未満、約１％未満、又は約１％のＭＤ歪みを基材上に加えることを更に含んでもよい。
【００４０】
方法は、基材１１０の最少で１／５周のラップ２１４’〜最大２周のラップ２１４’をコア１０２の周りに螺旋状に巻き付け、第４のレーン３１４に移行し、基材１１０の複数のラップ２１４をコア１０２の周りに渦巻き状に巻き付けて、第４の渦巻き状に巻かれたレーン３１４を部分的に又は少なくとも部分的に形成することによってなど、３超のレーンを巻き付けることを更に含んでもよい。第４の渦巻き状に巻かれたレーン３１４のラップ２１４のうちの少なくともいくつか、又はその大部分における三次元特徴部１１２の大多数、又は大部分は、第４の渦巻き状に巻かれたレーン３１４の隣接するラップ２１４における三次元特徴部１１２の大多数、又は大部分に少なくとも部分的に入れ子にされても、又は完全に入れ子にされてもよい。方法は、基材１１０の最少で１／５周のラップ２１４’〜最大で２周のラップ２１４’をコア１０２の周りに螺旋状に巻き付けて、第５のレーン３１５に移行することを更に含むことができる。方法は、基材１１０の複数のラップ２１４をコア１０２の周りに渦巻き状に巻き付けて、第５の渦巻き状に巻かれたレーン３１５を少なくとも部分的に又は部分的に形成することを含んでもよい。第４の渦巻き状に巻かれたレーン３１５のラップ２１４のうちの少なくともいくつか、又はその大部分における三次元特徴部１１２の大多数、又は大部分は、第４の渦巻き状に巻かれたレーン３１５の隣接するラップにおける三次元特徴部１１２の大多数、又は大部分に少なくとも部分的に入れ子にされても、又は完全に入れ子にされてもよい。
【００４１】
上述された方法において、種々のレーンは、第１の端部１２１から第２の端部１２２に向かって第１のレーン３１１から第５のレーン３１５（又はそれ以上のレーン）まで、あるいは第２の端部１２２から第１の端部１２１に向かって第５のレーン３１５（又はそれ以上のレーン）から第１のレーン３１１までの順序で巻かれてもよい。この方法では、基材１１０が、第１の端部１２１の近位にある位置から第２の端部１２２の近位にある位置まで、あるいは第２の端部１２２の近位にある位置から第１の端部１２１の近位にある位置まで移動されると、スプール１００は完全に巻き取られ得る。スプールを一方向のみで巻き付け、また次の隣接するレーンに移動する前にレーンを完全に渦巻き状に巻き付けることは、種々のレーン間の移行領域を低減させ、これによって、螺旋状に巻かれている基材の量及び圧縮されている三次元特徴部１１２の量を低減させる。場合によっては、スプール３００は、第１の端部１２１の近位にある位置から第２の端部１２２に近位にある位置まで巻かれ、第１の端部１２１の近位にある位置に少なくとも部分的に戻るか、又は完全に戻り、完全に巻かれたスプールを生成してもよく、逆もまた同様である。場合によっては、スプール３００は、第２のレーン３１１に戻って巻かれるだけでもよく、第１のレーン３１１に完全に戻らなくともよい。
【００４２】
図１６及び１７で図示されるように、第１のレーン３１１は、第２のレーン３１２に隣接して位置付けられてもよく、第２のレーン３１２は、第３のレーン３１３に隣接して位置付けられてもよく、第３のレーン３１３は、第４のレーン３１３に隣接して位置付けられてもよく、第４のレーン３１４は、第５のレーン３１５に隣接して位置付けられてもよい。任意の好適な数のレーンをスプール上に巻き付けてもよく、例えば、レーンの数は、例えば、３レーン〜１５レーンの範囲であってもよい。
【００４３】
上述した方法において、レーンの大部分又は全ては、第１の端部１２１の近位にある位置から第２の端部１２２の近位にある位置まで基材を巻き付けるワンパスで部分的にだけ巻かれてもよい。例えば、方法は、第２のレーン３１２に移行する前に第１のレーン３１１を部分的にだけ渦巻き状に巻き付けることを含んでもよい。他の例では、方法は、第２のレーン３１２に移行する前に第１のレーン３１１を完全に渦巻き状に巻き付けることを含んでもよい。方法は、第３のレーン３１３に移行する前に、第２のレーン３１２を部分的にだけ渦巻き状に巻き付けることを含んでもよい。方法はまた、第４のレーン３１４に移行する前に、第３のレーン３１３を部分的にだけ渦巻き状に巻き付けることと、第５のレーン３１５（又は任意の他の数のレーン）に移行する前に、第４のレーン３１４を部分的にだけ渦巻き状に巻き付けることとを含んでもよい。
【００４４】
方法は、基材１１２の最少で１／５周のラップ１１４’〜最大で２周のラップ１１４’をコア１０２の周りに螺旋状に巻き付けて、中心レーン（例えば、レーン３１２、３１３、３１４、又は任意の他の数の中心レーン）のうちの１つから第２の端部１２２の近位に位置付けられた末端レーンまで末端レーンに移行することを含んでもよい。末端レーンは、図１６及び１７ではレーン３１５として表されるが、任意の数のレーンがレーン３１１及び３１５の中間に存在してもよい。別の言い方をすれば、末端レーンは実際には、８番目のレーン、１０番目のレーン等とすることができる。
【００４５】
方法は、基材１１０の複数のラップ１１４をコア１０２の周りに渦巻き状に巻き付けて、末端レーンを形成することを含んでもよい。ラップ２１４のうちの少なくともいくつか、又はその大部分における三次元特徴部１１２の大多数、又は大部分は、末端レーン（例えば、第５のレーン３１５）の隣接するラップ２１４における三次元特徴部１１２の大多数、又は大部分に少なくとも部分的に入れ子にされても、又は完全に入れ子にされてもよい。末端レーンにおける渦巻き状に巻かれるラップ２１４の回数は、第２のレーン３１２、第３のレーン３１３、及び／又は第４のレーン３１４、並びに第１のレーン３１１及び末端レーンの中間の任意の他のレーンのそれぞれにおけるラップ２１４の回数を超えてもよい。末端レーンは、第４のレーン３１４を再度巻き付ける前に、又はたとえレーンが第１の端部１２１に向かって戻る方向に末端レーンに隣接していても、完全に渦巻き状に巻かれても若しくは部分的にだけ渦巻き状に巻かれてもよい。
【００４６】
図１６を参照すると、１つ又は２つ以上のニップロール３１８は、巻かれているレーン（例えば、第４のレーン３１４）の外側径方向部分にわたって位置付けられてもよい。ニップロール３１８は、スプールなどの基材１１０が巻かれると、第１の端部１２１から第２の端部１２１までの間を移動することができる。あるいは、コア１０２は、スプールが巻かれている間に、また基材１０２（これがコア１０２に送り込まれている場合）及びニップロール３１８が静止したままでいる間に、前後に移動することができる（長手方向軸Ｌｃに沿って）。ニップロール３１８は、基材１１０の三次元特徴部１１２が、スプール上にすでに巻き取られた基材の層の三次元特徴部１１２と入れ子状態にあることの助けとなるように、基材１１０に力を加えることができる。ニップロール３１８は、スプールが直径を増すと、径方向外側に移動することができる。
【００４７】
図１７の例において、基材１１０は、第１の端部１２１の近位にある位置から第２の端部１２２の近位にある位置まで（すなわち、巻きの第１の層）、次いで第２の端部１２２の近位にある位置から第１の端部１２１の近位にある位置まで戻り（すなわち、巻きの第２の層）、及びその後第１の端部１２１の近位にある位置から第２の端部１２２の近位にある位置まで（すなわち、巻きの第３の層）コア上に巻かれる。巻きの第１の層は、コア１０２の最も近位に位置付けられる。巻きの第２の層は、巻きの第１の層と比べてコア１０２からより遠位に位置付けられ、巻きの第３の層は、巻きの第２の層と比べてコアから最も遠位に位置付けられる。別の言い方をすれば、巻きの第２の層は、巻きの第１の層と比べてコア１０２からより径方向外側に位置付けられ、巻きの第３の層は、巻きの第２の層と比べてコア１０２からより径方向外側に位置付けられる。コア１０２上の巻きの第１の層は、ラップ２１４において太い破線で表示されている。巻きの第１の層上の巻きの第２の層は、ラップ２１４における実線によって表示されている。巻きの第２の層上の巻きの第３の層は、ラップ２１４における細い破線によって表示されている。例えば、５、１０、１５、２０、３０、又は５０個の巻きの層などの、第１の端部１２１の近位にある位置と第２の端部１２２の近位にある位置との間にある、又は少なくとも部分的に間にある巻きの層の任意の好適な個数は、本開示の範囲内である。
【００４８】
末端レーンから第１のレーン３１１に戻って巻き付けることは、１つの例示の実例においてここで論議されるであろう。所定の方向でのこの巻きの第２の層は、上述のように巻きの第１の層の上に生じるであろう。方法は、基材１１０の最少で１／５周のラップ２１４’〜最大で２周のラップ２１４’を、第２の端部１２２から第１の端部１２１に向かって延在する方向に、コア１０２の周りに螺旋状に巻き付けることを含むことができる。方法は、基材１１０の第２の複数のラップ２１４をコア１０２の周りに渦巻き状に巻き付けて、第３レーン３１３、又は末端レーンに隣接する任意の他のレーンを渦巻き状に巻き続けることを含んでもよい。第３のレーン３１３の第２の複数のラップ２１４のうちの少なくともいくつか、又はその大部分における三次元特徴部１１２の大多数、又は大部分は、第３のレーン３１３又は末端レーンに隣接する任意の他のレーンの第２の複数のラップの隣接するラップ２１４における三次元特徴部１１２の大多数、又は大部分に少なくとも部分的に入れ子されているか、又は完全に入れ子にされている。方法は、１／５周のラップ２１４’〜最大で２周のラップ２１４’を、第２の端部１２２から第１の端部１２１まで延在する方向でコア１０２の周りに巻き付けて第２のレーン３１２に移行することと、基材１１０の第２の複数のラップ２１４を、コア１０２の周りに渦巻き状に巻き付けて、第２のレーン３１３を形成し続けることとを含んでもよい。第２のレーン３１２の第２の複数のラップ２１４のうちの少なくともいくつか、又はその大部分における三次元特徴部１１２の大多数、又は大部分は、第２レーン３１２の第２の複数のラップの隣接するラップ２１４における三次元特徴部１１２の大多数、又は大部分に少なくとも部分的に入れ子にされても、又は完全に入れ子にされてもよい。ある特定の例において、スプールは、第２の複数のラップ２１４が第２のレーン３１２上に渦巻き状に巻かれた後に、完全に巻かれるか又は形成されてもよい。したがって、次のパラグラフにおける工程は、状況次第では任意選択であってもよい。
【００４９】
方法は、１／５周のラップ２１４〜最大で２周のラップ２１４を、第２の端部１２２から第１の端部１２１まで延在する方向にコア１０２の周りに螺旋状に巻き付けて、第１のレーン３１３に移行することを含んでもよい。方法は、基材１１０の第２の複数のラップ２１４をコア１０２の周りに巻き付けて、第１のレーン３１３を渦巻き状に巻き続けることを含んでもよい（第１のレーン３１３は、完成スプール３００の所望のサイズに応じて、この時点で完成してもよく、又は完成していなくともよい）。第１のレーン３１３の第２の複数のラップ２１４のうちの少なくともいくつか、又はその大部分における三次元特徴部１１２の大多数、又は大部分は、第１のレーン３１３の第２の複数のラップ２１４の隣接するラップ２１４における三次元特徴部１１２の大多数、又は大部分に少なくとも部分的に入れ子にされているか、又は完全に入れ子にされている。
【００５０】
図１７において、種々の隣接するラップ２１４の少なくとも部分的な入れ子状態が、分解組立図で示されている。
【００５１】
本開示はまた、少なくとも一部には、三次元基材をコア上に巻き付けて、三次元基材のスプールを生成する方法も目的とする。三次元基材は、基材の第２の側に複数の凹部を形成する、基材の第１の側の複数の突起部を含んでもよい（すなわち、突起部は中空である）。コアは長手方向軸を画定し、また第１の端部と第２の端部とを有する。方法は、三次元基材の複数のラップをコアの周りに渦巻き状に巻き付けて、第１のレーンを形成するか、又は少なくとも部分的に形成することを含んでもよい。第１のレーンのラップのうちの少なくともいくつか、又はその大部分における突起部の大多数、又は大部分は、第１のレーンの隣接するラップにおける凹部の大多数、又は大部分と少なくとも部分的に入れ子にされていても、又は完全に入れ子にされていてもよい。三次元基材の最少で１／５周のラップ〜最大で２又は３周のラップを、コアの周りに螺旋状に巻き付けて、第２のレーンに移行することを含んでもよい。第１のレーンは、第２のレーンと比べてコアの第１の端部のより近位に位置付けられている。方法は、三次元基材の複数のラップをコアの周りに渦巻き状に巻き付けて、第２のレーンを形成するか、又は少なくとも部分的に形成することを含んでもよい。第２のレーンのラップのうちの少なくともいくつか、又はその大部分における突起部の大多数、又は大部分は、第２のレーンの隣接するラップにおける凹部の大多数、又は大部分に少なくとも部分的に入れ子にされても、又は完全に入れ子にされてもよい。方法は、三次元基材の最少で１／５周のラップ〜最大で２又は３周のラップを、コアの周りに螺旋状に巻き付けて、第３のレーンに移行することを含んでもよい。第３のレーンは、第２のレーンと比べて第２の端部のより近位に位置付けられている。方法は、三次元基材の複数のラップをコアの周りに渦巻き状に巻き付けて、第３のレーンを形成するか、又は少なくとも部分的に形成することを含んでもよい。第３のレーンのラップのうちの少なくともいくつか、又はその大部分における突起部の大多数、又は大部分は、第３のレーンの隣接するラップにおける凹部の大多数、又は大部分に少なくとも部分的に入れ子されているか、又は完全に入れ子にされている。当業者であれば認識されるように、このパラグラフに記述される方法は、本明細書で特定される他の好適な方法工程と共に使用されてもよい。
【００５２】
本開示はまた、少なくとも一部には、三次元基材をコア上に巻き付けて、三次元基材のスプールを生成する方法も目的とする。三次元基材は、基材の第２の側に複数の凹部を形成する、基材の第１の側の複数の突起部を含んでもよい（すなわち、突起部は中空である）。コアは長手方向軸を画定し、また第１の端部と第２の端部とを有する。方法は、三次元基材の複数のラップをコアの周りに渦巻き状に巻き付けて、第１のレーンを形成するか、又は少なくとも部分的に形成することを含んでもよい。第１のレーンのラップのうちの少なくともいくつか、又はその大部分における突起部の大多数、又は大部分は、第１のレーンの隣接するラップにおける凹部の大多数、又は大部分に少なくとも部分的に入れ子にされているか、又は完全に入れ子にされている。三次元基材の最少で１／５周のラップ〜最大で２又は３周のラップを、コアの周りに螺旋状に巻き付けて、第２のレーンに移行することを含んでもよい。第１のレーンは、第２のレーンと比べて第１の端部のより近位に位置付けられている。方法は、三次元基材の複数のラップをコアの周りに渦巻き状に巻き付けて、第２のレーンを形成するか、又は少なくとも部分的に形成することを含んでもよい。第２のレーンのラップのうちの少なくともいくつか、又はその大部分における突起部の大多数、又は大部分は、第２のレーンの隣接するラップにおける凹部の大多数、又は大部分に少なくとも部分的に入れ子にされているか、又は完全に入れ子にされている。方法は、三次元基材の最少で１／５周のラップ〜最大で２又は３周のラップを、コアの周りに螺旋状に巻き付けて、第３のレーンに移行することを含んでもよい。第３のレーンは、第２のレーンと比べて第２の端部のより近位に位置付けられている。方法は、三次元基材の複数のラップをコアの周りに渦巻き状に巻き付けて、第３のレーンを形成するか、又は少なくとも部分的に形成することを含んでもよい。第３のレーンのラップのうちの少なくともいくつか、又はその大部分における突起部の大多数、又は大部分は、第３のレーンの隣接するラップにおける凹部の大多数、又は大部分に少なくとも部分的に入れ子にされているか、又は完全に入れ子にされている。当業者であれば認識されるように、このパラグラフに記述される方法は、本明細書で特定される他の好適な方法工程と共に使用されてもよい。
【００５３】
複数の三次元特徴部を備える基材を螺旋状に巻き付けることは、通常、三次元特徴部が入れ子にならないか、又は渦巻き状に巻かれたレーンの隣接するラップに三次元特徴部が入れ子になるため、同様に入れ子にならないといういずれかの点で望ましくない。基材を螺旋状に巻き付けることは、複数の三次元特徴部の圧縮をもたらす場合がある。したがって、巻かれる基材が複数の三次元特徴部を備えるとき、スプールにおける螺旋状の巻き付けの％を低減することが望ましい。したがって、基材は、三次元特徴部の著しい圧縮及び歪みがなく巻き付けることが可能であり、より消費者にとって魅力的な最終製品となり得る。上記で提示された（図１６及び１７を参照して）巻き付け方法は、この有益性を達成し、スプールが完全に巻かれると、約４０％未満、約３５％未満、約３０％未満、約２５％未満、約２０％未満、約１８％未満、約１６％未満、又は約５％未満〜約３５％未満の範囲のスプールの螺旋状に巻かれた部分を有する。
【００５４】
複数の三次元特徴部を備える本明細書で論議される基材は、種々の隣接する渦巻き状に巻かれたラップ内にそれら自体で入れ子になることができる。基材の１つの渦巻き状に巻かれたラップにおける三次元特徴部は、基材の別の隣接する渦巻き状に巻かれたラップにおける三次元特徴部の少なくとも５０％、少なくとも６０％、少なくとも７０％、少なくとも８０％、少なくとも９０％、又は少なくとも９５％の入れ子になることができる。他の例では、基材の１つの渦巻き状に巻かれたラップにおける三次元特徴部は、別の隣接する渦巻き状に巻かれたラップにおける三次元特徴部の約５０％〜約９９％、約５５％〜約９５％、約６０％〜約９５％、又は約６５％〜約９０％の入れ子になることができ、具体的には、上記で特定した範囲及びその中で若しくはそれによって形成される全ての範囲内の全ての０．５％の増分で列挙される。
【００５５】
図１８は、基材１１０の第１の渦巻き状に巻かれたレーン５００と、基材１１０の第２の隣接する渦巻き状に巻かれたレーン５０２とを示す。螺旋状に巻かれた部分４０４は、第１の渦巻き状に巻かれたレーン５００と第２の渦巻き状に巻かれたレーン５０２との間に延在する。本明細書で論議される螺旋状に巻かれた部分は、第１の螺旋状に巻かれたラップ（又は部分的ラップ）４０４に入るときに、レーンの第１のレーンの側縁部４００と基材１００の側縁部４００’との間で測定された角度アルファ、αを有してもよい。角度アルファ、αは、約０．３度〜約６０度、約０．３度〜約４５度、約３度〜約４０度、約３度〜約３５度、又は約５度〜約３０度であってもよく、具体的には、特定した範囲及びその中で若しくはそれによって形成される全ての範囲内の全ての０．１度の増分で列挙される。角度アルファ、αは、複数の三次元特徴部を備える基材が、コア１０２からスプールの外側径方向ラップまで巻かれるに連れて、変化してもよい。角度アルファ、αはまた、コア１０２からスプールの外側径方向ラップまで一定であってもよい。
【００５６】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば「４０ｍｍ」として開示される寸法は、「約４０ｍｍ」を意味するものとする。
【００５７】
あらゆる相互参照又は関連する特許又は出願を含む、本明細書に引用される全ての文献は、明確に除外ないしは別の形で限定されない限り、参照によりその全容を本明細書に援用するものとする。いかなる文献の引用も、それが本明細書で開示若しくは請求される任意の実施形態に関する先行技術であること、又はそれが単独で若しくは任意の他の参照（単数又は複数）との任意の組み合わせで任意のこのような実施形態を教示、提案、若しくは開示することを認めるものではない。更に、本文書における用語の任意の意味又は定義が、参照により組み込まれた文書内の同じ用語の意味又は定義と競合する場合、本文書におけるその用語に与えられた意味又は定義が適用されるものとする。
【００５８】
本開示の特定の実施形態が図示及び説明されたが、本開示の趣旨及び範囲から逸脱することなく様々な他の変更及び修正を行い得ることは、当業者には明白であろう。したがって、本開示の範囲内に属する全てのこのような変更及び修正を、添付された特許請求の範囲に網羅するものとする。
【図１】
0006434163.tif 000002
【図２】
0006434163.tif 000003
【図３】
0006434163.tif 000004
【図４】
0006434163.tif 000005
【図５】
0006434163.tif 000006
【図６】
0006434163.tif 000007
【図７】
0006434163.tif 000008
【図８】
0006434163.tif 000009
【図９】
0006434163.tif 000010
【図１０】
0006434163.tif 000011
【図１１】
0006434163.tif 000012
【図１２】
0006434163.tif 000013
【図１３】
0006434163.tif 000014
【図１４】
0006434163.tif 000015
【図１５】
0006434163.tif 000016
【図１６】
0006434163.tif 000017
【図１７】
0006434163.tif 000018
【図１８】
0006434163.tif 000019